(57)【要約】【課題】  洗車利用者に対するきめ細かいカードサービス運用を行なうこと。【解決手段】  洗車料金の精算時に、記録媒体カード１に対して読み書き可能にするリードライタ２２を有する洗車料金精算装置２０において、記録媒体カード１には該カードの用途を表わす種別情報が記録可能とされ、該カードを用いた精算時に、該カードの種別情報を書き直して再発行する手段を有するもの。【選択図】  図２
2006228055.tif 000002
【特許請求の範囲】
【請求項１】
洗車料金の精算時に、記録媒体カードに対して読み書き可能にするリードライタを有する洗車料金精算装置において、
記録媒体カードには該カードの用途を表わす種別情報が記録可能とされ、該カードを用いた精算時に、該カードの種別情報を書き直して再発行する手段を有することを特徴とする洗車料金精算装置。
【請求項２】
前記記録媒体カードの当初種別が無料券である請求項１に記載の洗車料金精算装置。
【請求項３】
請求項１又は２に記載の記録媒体カード。
【請求項４】
請求項１又は２に記載の洗車料金精算装置を付帯する洗車機。
【発明の詳細な説明】
【技術分野】
【０００１】
本発明は洗車料金精算装置に関する。
【背景技術】
【０００２】
洗車料金精算装置として、洗車料金の精算時に、記録媒体カードに対して読み書き可能にするリードライタを有するものがある（特許文献１）。
【特許文献１】特開2002-178889
【発明の開示】
【発明が解決しようとする課題】
【０００３】
従来技術では、記録媒体カードの用途種別を不変固定化するものであり、１回無料券（お試し券）は１回使用後に使い捨てとなり、ポイントカードは当初グレードを超えることができない。１回無料券の使用後に当該カードの用途種別をポイントカードに変更して洗車リピート率を向上させたり、ポイントカードの利用頻度の高まりに応じて当該カードの用途種別をＶＩＰカードに変更して洗車利用意識を向上させる等、洗車利用者に対するきめ細かいカードサービス運用が望まれる。
【０００４】
本発明の課題は、洗車利用者に対するきめ細かいカードサービス運用を行なうことにある。
【課題を解決するための手段】
【０００５】
請求項１の発明は、洗車料金の精算時に、記録媒体カードに対して読み書き可能にするリードライタを有する洗車料金精算装置において、記録媒体カードには該カードの用途を表わす種別情報が記録可能とされ、該カードを用いた精算時に、該カードの種別情報を書き直して再発行する手段を有するようにしたものである。
【０００６】
請求項２の発明は、請求項１の発明において更に、前記記録媒体カードの当初種別が無料券であるようにしたものである。
【０００７】
請求項３の発明は、請求項１又は２に記載の記録媒体カードである。
【０００８】
請求項４の発明は、請求項１又は２に記載の洗車料金精算装置を付帯する洗車機である。
【発明の効果】
【０００９】
（請求項１、２）
(a)洗車料金精算装置は、記録媒体カードを用いた精算時に、該カードの種別情報を書き直して再発行する。従って、１回無料券の使用後に当該カードの用途種別をポイントカードに変更して洗車リピート率を向上させることができる。また、ポイントカードの利用頻度の高まりに応じて当該カードの用途種別をＶＩＰカードに変更して洗車利用意識を向上させることができる。
【００１０】
（請求項３）
(b)単一の記録媒体カードの用途種別を使用経過に応じて変更し、当該カードを各種用途において発展的に使い続けることができる。
【００１１】
（請求項４）
(c)上述(a)の洗車料金精算装置を洗車機に付帯させることができる。
【発明を実施するための最良の形態】
【００１２】
図１は洗車機に付帯した洗車料金精算装置を示す模式図、図２はカード用途種別変更処理フローを示す流れ図、図３はカード用途種別の変更例を示す模式図である。
【実施例】
【００１３】
洗車機１０は、図１に示す如く、洗車料金精算装置２０を付帯して備える。洗車料金精算装置２０は、洗車受付コントローラ２１に、カードリードライタ２２、硬貨識別装置２３、紙幣識別装置２４、操作パネル２５、表示器２６、領収書発行装置２７を接続して構成される。
【００１４】
カードリードライタ２２は、洗車料金の精算時に、洗車利用者が携帯する記録媒体カード１に記録されている金額、従前からの残りである残有効ポイント、今回の取得ポイント、残有効ポイントに従前からの利用済ポイントを含む総取得ポイント、カードのグレード種別等の情報を読み書きする。硬貨識別装置２３は投入硬貨枚数のカウントと返金処理を行なう。紙幣識別装置２４は挿入紙幣枚数のカウントと返金処理を行なう。操作パネル２５は商品（洗車メニュー）釦による選択と、選択可能商品を示すランプ表示を行なう。表示器２６は投入金額、選択された商品内容や商品金額の表示を行なう。領収書発行装置２７は精算内容の印字を行なう。
【００１５】
洗車受付コントローラ２１は、各機器２２〜２７との接続により、洗車商品の選択処理や精算処理を行ない、洗車機１０へ洗車情報を送る。洗車機１０は、洗車受付コントローラ２１から送られた洗車情報により、洗車対象車両に対する洗車処理を行なう。
【００１６】
しかるに、洗車料金精算装置２０は、記録媒体カード１の用途種別変更処理を以下の如くに行なう（図２）。
【００１７】
(1)記録媒体カード１には用途を表わす種別情報が記録可能とされる。記録媒体カード１の当初種別はミラコンコート（商標）洗車の１回無料券（お試し券）とする（図３（Ａ））。
【００１８】
尚、記録媒体カード１には、用途種別情報の他、残有効ポイント、洗車利用額、今回の取得ポイント、総取得ポイント等の情報が読み書き可能とされる。
【００１９】
(2)１回無料券としての記録媒体カード１を用いた精算時に、カードリードライタ２２により記録媒体カード１の種別情報を他の種別、例えばポイントカードに書き直し、カード磁気情報並びに印字内容を更新して再発行する（図３（Ｂ））。
【００２０】
(3)記録媒体カード１をポイントカードとして使い続け（図３（Ｃ））、その利用頻度の高まりの結果として、残有効ポイントに従前からの利用済ポイントを含む総取得ポイントが一定ポイント、例えば1000ポイントを超えるに至った精算時に、カードリードライタ２２により記録媒体カード１の種別情報を更に他の種別、例えばＶＩＰカードに書き直し、カード磁気情報並びに印字内容を更新して再々発行する（図３（Ｄ））。
【００２１】
この磁気記録カード１の用途種別変更処理によれば以下の作用効果を奏する。
(a)洗車料金精算装置２０は、記録媒体カード１を用いた精算時に、該カードの種別情報を書き直して再発行する。従って、１回無料券の使用後に当該カードの用途種別をポイントカードに変更して洗車リピート率を向上させることができる。また、ポイントカードの利用頻度の高まりに応じて当該カードの用途種別をＶＩＰカードに変更して洗車利用意識を向上させることができる。
【００２２】
(b)単一の記録媒体カード１の用途種別を使用経過に応じて変更し、当該カードを各種用途において発展的に使い続けることができる。
【００２３】
(c)上述(a)の洗車料金精算装置２０を洗車機に付帯させることができる。
【００２４】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００２５】
【図１】図１は洗車機に付帯した洗車料金精算装置を示す模式図である。
【図２】図２はカード用途種別変更処理フローを示す流れ図である。
【図３】図３はカード用途種別の変更例を示す模式図である。
【符号の説明】
【００２６】
１  記録媒体カード
１０  洗車機
２０  洗車料金精算装置
【図１】
2006228055.tif 000003
【図２】
2006228055.tif 000004
【図３】
2006228055.tif 000005